(57)【要約】【課題】ユーザが所望する位置まで、移動対象である画像を正確に移動することが可能となる電子機器を提供する。【解決手段】電子機器１００は、表示領域を有する液晶パネル１４０と、表示領域における点が指定されたことを検知する第１検知部１２と、表示領域に表示されている第１画像が選択されたことを検知する第２検知部１３と、選択された第１画像を移動するための操作入力に基づいて、第１画像の表示位置を、選択された際に表示されていた位置から、指定された点に応じた位置に切換える表示制御部１１とを備える。【選択図】図１９
2010182088.tif 000002
【特許請求の範囲】
【請求項１】
電子機器であって、
表示領域を有するタッチパネルと、
前記表示領域における点が指定されたことを検知する第１検知手段と、
前記表示領域に表示されている第１画像が選択されたことを検知する第２検知手段と、
前記選択された第１画像を移動するための操作入力に基づいて、当該第１画像の表示位置を、前記選択された際に表示されていた位置から、前記指定された点に応じた位置に切換える表示制御手段とを備える、電子機器。
【請求項２】
電子機器であって、
第１表示領域を有する第１タッチパネルと、
第２表示領域を有する第２タッチパネルと、
前記第１表示領域における点が指定されたことを検知する第１検知手段と、
前記第２表示領域に表示されている第１画像が選択されたことを検知する第２検知手段と、
前記選択された第１画像を移動するための操作入力に基づいて、当該第１画像の表示位置を、前記選択された際に表示されていた位置から、前記指定された点に応じた位置に切換える表示制御手段とを備える、電子機器。
【請求項３】
前記指定された点が第２画像と重なる点である場合、前記第１検知手段は、前記第２画像が選択されたと判断し、
前記表示制御手段は、前記操作入力に基づいて、前記指定された点に応じた位置として前記第２画像に重なる位置に、前記第１画像を表示させる、請求項１または２に記載の電子機器。
【請求項４】
前記第１画像は、ファイルを示すアイコンであり、
前記第２画像は、ファイルを格納するフォルダを開いた場合に示されるウィンドウであり、
前記表示制御手段は、前記操作入力に基づいて、前記ウィンドウ内の領域に前記第１画像を表示させ、
前記電子機器は、前記第１画像により特定されるファイルの保存先を、前記フォルダに変更する変更手段をさらに備える、請求項３に記載の電子機器。
【請求項５】
前記第１画像は、ファイルを示すアイコンであり、
前記第２画像は、ファイルを格納するフォルダを開いた場合に示されるウィンドウであり、
前記表示制御手段は、前記操作入力に基づいて、前記ウィンドウ内の領域に前記第１画像を表示させ、
前記電子機器は、
前記第２画像の選択が解除されたことを検知する解除検知手段と、
前記選択が解除されたことが検知された場合、前記第１画像により特定されるファイルの保存先を、前記フォルダに変更する変更手段とをさらに備える、請求項３に記載の電子機器。
【請求項６】
前記第１画像は、アプリケーションで開くことが可能なファイルを示したアイコンであり、
前記第２画像は、前記アプリケーションを実行する実行ファイルのショートカットを示したアイコンであり、
前記電子機器は、前記第２画像に重なる位置に前記第１画像が表示された場合、前記アプリケーションによって前記ファイルを開くファイルオープン手段をさらに備える、請求項３に記載の電子機器。
【請求項７】
前記第１画像は、アプリケーションで開くことが可能なファイルを示したアイコンであり、
前記第２画像は、前記アプリケーションを実行する実行ファイルのショートカットを示したアイコンであり、
前記電子機器は、
前記第２画像の選択が解除されたことを検知する解除検知手段と、
前記第２画像に重なる位置に前記第１画像が表示された場合、前記選択が解除されたことが検知されると、前記アプリケーションによって前記ファイルを開くファイルオープン手段とをさらに備える請求項３に記載の電子機器。
【請求項８】
前記表示制御手段は、前記第１画像として、前記ファイルを示したアイコンを複数表示させ、
前記第２画像に重なる位置に前記複数のアイコンの各々が表示されている場合に、前記選択が解除されたことが検知されると、前記ファイルオープン手段は、前記アプリケーションによって、各前記アイコンで特定される各ファイルを開く、請求項７に記載の電子機器。
【請求項９】
前記表示制御手段は、前記第１画像として、複数の画像を表示させ、
前記第２検知手段は、前記複数の画像のうち、２つの画像が選択されたことを検知し、
前記表示制御手段は、前記第１画像を移動するための操作入力に基づいて、前記２つの画像と、前記複数の画像のうち前記２つの画像に挟まれている画像とを、前記第２画像に重なる位置に表示させる、請求項３に記載の電子機器。
【請求項１０】
前記表示制御手段は、前記切換えの際に、前記第２画像に重なる位置まで前記第１画像の表示位置を連続的にずらす、請求項３から９のいずれか１項に記載の電子機器。
【請求項１１】
前記タッチパネルは、前記表示領域に沿って内蔵された複数の光センサを含む、請求項１に記載の電子機器。
【請求項１２】
前記第１タッチパネルは、前記第１表示領域に沿って内蔵された複数の光センサを含む、請求項２に記載の電子機器。
【請求項１３】
前記第２タッチパネルは、前記第２表示領域に沿って内蔵された複数の光センサを含む、請求項１２に記載の電子機器。
【請求項１４】
タッチパネルを備える電子機器における表示制御方法であって、
前記タッチパネルは、表示領域を有し、
前記表示制御方法は、
前記表示領域における点が指定されたことを検知するステップと、
前記表示領域に表示されている第１画像が選択されたことを検知するステップと、
前記選択された第１画像を移動するための操作入力に基づいて、当該第１画像の表示位置を、前記選択された際に表示されていた位置から、前記指定された点に応じた位置に切換えるステップとを備える、表示制御方法。
【請求項１５】
第１タッチパネルと第２タッチパネルとを備える電子機器における表示制御方法であって、
前記第１タッチパネルは、第１表示領域を有し、
前記第２タッチパネルは、第２表示領域を有し、
前記表示制御方法は、
前記第１表示領域における点が指定されたことを検知するステップと、
前記第２表示領域に表示されている第１画像が選択されたことを検知するステップと、
前記選択された第１画像を移動するための操作入力に基づいて、当該第１画像の表示位置を、前記選択された際に表示されていた位置から、前記指定された点に応じた位置に切換えるステップとを備える、表示制御方法。
【請求項１６】
タッチパネルを備える電子機器における表示制御を前記電子機器に実行させるためのプログラムであって、
前記タッチパネルは、表示領域を有し、
前記プログラムは、
前記表示領域における点が指定されたことを検知するステップと、
前記表示領域に表示されている第１画像が選択されたことを検知するステップと、
前記選択された第１画像を移動するための操作入力に基づいて、当該第１画像の表示位置を、前記選択された際に表示されていた位置から、前記指定された点に応じた位置に切換えるステップとを前記電子機器に実行させるためのプログラム。
【請求項１７】
第１タッチパネルと第２タッチパネルとを備える電子機器における表示制御を前記電子機器に実行させるためのプログラムであって、
前記第１タッチパネルは、第１表示領域を有し、
前記第２タッチパネルは、第２表示領域を有し、
前記プログラムは、
前記第１表示領域における点が指定されたことを検知するステップと、
前記第２表示領域に表示されている第１画像が選択されたことを検知するステップと、
前記選択された第１画像を移動するための操作入力に基づいて、当該第１画像の表示位置を、前記選択された際に表示されていた位置から、前記指定された点に応じた位置に切換えるステップとを前記電子機器に実行させるためのプログラム。
【発明の詳細な説明】
【技術分野】
【０００１】
本発明は、表示パネルを備えた電子機器、電子機器における表示制御方法、および表示制御を電子機器に実行させるためのプログラムに関する。
【背景技術】
【０００２】
特許文献１には、移動対象の移動方向と移動速度とを検出する表示制御装置が開示されている。当該表示制御装置は、タッチペンやマウス等の移動指示手段による上記移動対象の移動指示が終了した際、検出された移動速度が所定速度以上であれば、移動対象を移動方向にさらに移動させる。より詳しくは、当該表示制御装置は、検出された移動速度に応じた距離だけ、移動対象を移動させる。このような処理により、表示制御装置が２画面を備えた構成であっても、表示制御装置は、移動対象を一方の画面から他方の画面に移動させることが可能となる。
【先行技術文献】
【特許文献】
【０００３】
【特許文献１】特開平６−４４００１号公報
【発明の概要】
【発明が解決しようとする課題】
【０００４】
しかしながら、特許文献１の表示制御装置では、移動速度に応じた距離だけ移動対象を移動させる構成であるため、ユーザが所望する位置まで移動対象を正確に移動することは難しい。
【０００５】
本願発明は上記問題点に鑑みなされたものであって、その目的は、ユーザが所望する位置まで、移動対象である画像を正確に移動することが可能となる電子機器、表示制御方法、およびプログラムを提供することにある。
【課題を解決するための手段】
【０００６】
本発明のある局面に従うと、電子機器は、表示領域を有するタッチパネルと、表示領域における点が指定されたことを検知する第１検知手段と、表示領域に表示されている第１画像が選択されたことを検知する第２検知手段と、選択された第１画像を移動するための操作入力に基づいて、当該第１画像の表示位置を、選択された際に表示されていた位置から、指定された点に応じた位置に切換える表示制御手段とを備える。
【０００７】
本発明の他の局面に従うと、電子機器は、第１表示領域を有する第１タッチパネルと、第２表示領域を有する第２タッチパネルと、第１表示領域における点が指定されたことを検知する第１検知手段と、第２表示領域に表示されている第１画像が選択されたことを検知する第２検知手段と、選択された第１画像を移動するための操作入力に基づいて、当該第１画像の表示位置を、選択された際に表示されていた位置から、指定された点に応じた位置に切換える表示制御手段とを備える。
【０００８】
好ましくは、指定された点が第２画像と重なる点である場合、第１検知手段は、点が指定されたことを検知すると、第２画像が選択されたと判断し、表示制御手段は、操作入力に基づいて、指定された点に応じた位置として第２画像に重なる位置に、第１画像を表示させる。
【０００９】
好ましくは、第１画像は、ファイルを示すアイコンであり、第２画像は、ファイルを格納するフォルダを開いた場合に示されるウィンドウであり、表示制御手段は、操作入力に基づいて、ウィンドウ内の領域に第１画像を表示させ、電子機器は、第１画像により特定されるファイルの保存先を、フォルダに変更する変更手段をさらに備える。
【００１０】
好ましくは、第１画像は、ファイルを示すアイコンであり、第２画像は、ファイルを格納するフォルダを開いた場合に示されるウィンドウであり、表示制御手段は、操作入力に基づいて、ウィンドウ内の領域に第１画像を表示させ、電子機器は、第２画像の選択が解除されたことを検知する解除検知手段と、選択が解除されたことが検知された場合、第１画像により特定されるファイルの保存先を、フォルダに変更する変更手段とをさらに備える。
【００１１】
好ましくは、第１画像は、アプリケーションで開くことが可能なファイルを示したアイコンであり、第２画像は、アプリケーションを実行する実行ファイルのショートカットを示したアイコンであり、電子機器は、第２画像に重なる位置に第１画像が表示された場合、アプリケーションによってファイルを開くファイルオープン手段をさらに備える。
【００１２】
好ましくは、第１画像は、アプリケーションで開くことが可能なファイルを示したアイコンであり、第２画像は、アプリケーションを実行する実行ファイルのショートカットを示したアイコンであり、電子機器は、第２画像の選択が解除されたことを検知する解除検知手段と、第２画像に重なる位置に第１画像が表示された場合、選択が解除されたことが検知されると、アプリケーションによってファイルを開くファイルオープン手段をさらに備える。
【００１３】
好ましくは、表示制御手段は、第１画像として、ファイルを示したアイコンを複数表示させ、第２画像に重なる位置に複数のアイコンの各々が表示されている場合に、選択が解除されたことが検知されると、ファイルオープン手段は、アプリケーションによって、各アイコンで特定される各ファイルを開く。
【００１４】
好ましくは、表示制御手段は、第１画像として、複数の画像を表示させ、第２検知手段は、複数の画像のうち２つの画像が選択されたことを検知し、表示制御手段は、第１画像を移動するための操作入力に基づいて、２つの画像と、複数の画像のうち２つの画像に挟まれている画像とを、第２画像に重なる位置に表示させる。
【００１５】
好ましくは、表示制御手段は、切換えの際に、第２画像に重なる位置まで第１画像の表示位置を連続的にずらす。
【００１６】
好ましくは、タッチパネルは、表示領域に沿って内蔵された複数の光センサを含む。
好ましくは、第１タッチパネルは、第１表示領域に沿って内蔵された複数の光センサを含む。
【００１７】
好ましくは、第２タッチパネルは、第２表示領域に沿って内蔵された複数の光センサを含む。
【００１８】
本発明のさらに他の局面に従うと、表示制御方法は、タッチパネルを備える電子機器における表示制御方法であって、タッチパネルは、表示領域を有し、表示制御方法は、表示領域における点が指定されたことを検知するステップと、表示領域に表示されている第１画像が選択されたことを検知するステップと、選択された第１画像を移動するための操作入力に基づいて、当該第１画像の表示位置を、選択された際に表示されていた位置から、指定された点に応じた位置に切換えるステップとを備える。
【００１９】
本発明のさらに他の局面に従うと、表示制御方法は、第１タッチパネルと第２タッチパネルとを備える電子機器における表示制御方法であって、第１タッチパネルは第１表示領域を有し、第２タッチパネルは第２表示領域を有し、表示制御方法は、第１表示領域における点が指定されたことを検知するステップと、第２表示領域に表示されている第１画像が選択されたことを検知するステップと、選択された第１画像を移動するための操作入力に基づいて、当該第１画像の表示位置を、選択された際に表示されていた位置から、指定された点に応じた位置に切換えるステップとを備える。
【００２０】
本発明のさらに他の局面に従うと、プログラムは、タッチパネルを備える電子機器における表示制御を電子機器に実行させるためのプログラムであって、タッチパネルは、表示領域を有し、プログラムは、表示領域における点が指定されたことを検知するステップと、表示領域に表示されている第１画像が選択されたことを検知するステップと、選択された第１画像を移動するための操作入力に基づいて、当該第１画像の表示位置を、選択された際に表示されていた位置から、指定された点に応じた位置に切換えるステップとを電子機器に実行させる。
【００２１】
本発明のさらに他の局面に従うと、プログラムは、第１タッチパネルと第２タッチパネルとを備える電子機器における表示制御を電子機器に実行させるためのプログラムであって、第１タッチパネルは、第１表示領域を有し、第２タッチパネルは、第２表示領域を有し、プログラムは、第１表示領域における点が指定されたことを検知するステップと、第２表示領域に表示されている第１画像が選択されたことを検知するステップと、選択された第１画像を移動するための操作入力に基づいて、当該第１画像の表示位置を、選択された際に表示されていた位置から、指定された点に応じた位置に切換えるステップとを電子機器に実行させる。
【発明の効果】
【００２２】
電子機器は、ユーザが所望する位置まで移動対象である画像を正確に移動することができるといった効果を奏する。
【図面の簡単な説明】
【００２３】
【図１】本実施の形態に係る通信システムに含まれる電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】コマンドの概略構成を示した図である。
【図８】種別「０００」のコマンドを説明するための図である。
【図９】種別「００１」のコマンドを説明するための図である。
【図１０】種別「０１０」のコマンドを説明するための図である。
【図１１】種別「０１１」のコマンドを説明するための図である。
【図１２】種別「１００」のコマンドを説明するための図である。
【図１３】種別「１０１」のコマンドを説明するための図である。
【図１４】応答データの概略構成を示した図である。
【図１５】指をスキャンすることにより得られた画像を示した図である。
【図１６】他の光センサ内蔵液晶パネルの回路図である。
【図１７】スキャンの際にフォトダイオードが外光を受光する構成を示した断面図である。
【図１８】電子機器の変形例のハードウェア構成を表わすブロック図である。
【図１９】一実施の形態に係る電子機器の機能ブロックを示した図である。
【図２０】液晶パネルの表示領域に、第１画像として、ファイルを示すアイコンが表示された状態を示した図である。
【図２１】ユーザが左手の指を液晶パネルの表示領域に接触させた状態を示した図である。
【図２２】指を表示領域に接触させた状態で、ユーザが他の指を当該表示領域に接触させた状態を示した図である。
【図２３】ユーザが矢印で示す方向に他の指を移動させた後の状態を示した図である。
【図２４】アイコンの表示位置を連続的にずらす処理が終了した状態を示した図である。
【図２５】液晶パネル１４０の表示領域に、第１画像として、ファイルを示す他のアイコンが表示された状態を示した図である。
【図２６】ユーザが指を液晶パネルの表示領域に接触させた状態を示した図である。
【図２７】指を表示領域に接触させた状態で、ユーザが他の指を当該表示領域に接触させた状態を示した図である。
【図２８】ユーザが矢印で示す方向に他の指を移動させた後の状態を示した図である。
【図２９】アイコンの表示位置を連続的にずらす処理が終了した状態を示した図である。
【図３０】液晶パネルの表示領域に、第１画像として、ファイルを示すさらに他のアイコンが表示された状態を示した図である。
【図３１】ユーザが指を液晶パネルの表示領域に接触させた状態を示した図である。
【図３２】指を表示領域に接触させた状態で、ユーザが他の指を当該表示領域に接触させた状態を示した図である。
【図３３】操作入力に基づいて、アイコンの表示位置を、当該アイコンが選択された際に表示されていた位置から、指定された点に応じた位置に切換えた後の状態を示した図である。
【図３４】操作入力に基づいて、他のアイコンの表示位置を、当該他のアイコンが選択された際に表示されていた位置から、指定された点に応じた位置に切換えた後の状態を示した図である。
【図３５】操作入力に基づいて、さらに他のアイコンの表示位置を、当該他のアイコンが選択された際に表示されていた位置から、指定された点に応じた位置に切換えた後の状態を示した図である。
【図３６】図３５に示した状態において、指を表示領域から離した場合を示した図である。
【図３７】液晶パネルの表示領域に、第１画像として、ファイルを示すさらに他のアイコンが表示された状態を示した図である。
【図３８】ユーザが指を液晶パネルの表示領域に接触させた状態を示した図である。
【図３９】指を表示領域に接触させた状態で、ユーザが他の指を当該表示領域に接触させたのち、ユーザがさらに他の指を当該表示領域にさらに接触させた状態を示した図である。
【図４０】表示パネルと他の２つの指とが接触した状態で、当該２つの指の移動方向を説明するための図である。
【図４１】ユーザが矢印で示す方向に他の２つの指を移動させた後の状態を示した図である。
【図４２】アイコンの表示位置を連続的にずらす処理が終了した状態を示した図である。
【図４３】電子機器における処理のフローを示したフローチャートである。
【図４４】他の実施の形態に係る電子機器の機能ブロックを示した図である。
【図４５】一方の液晶パネルの表示領域に、第１画像として、ファイルを示すアイコンが表示された状態を示した図である。
【図４６】ユーザが指を他方の液晶パネルの表示領域に接触させた状態を示した図である。
【図４７】指を他方の液晶パネルの表示領域に接触させた状態で、ユーザが他の指を一方の液晶パネルの表示領域に接触させた状態を示した図である。
【図４８】ユーザが矢印で示す方向に他の指を移動させた後の状態を示した図である。
【図４９】アイコンの表示位置を連続的にずらす処理が終了した状態を示した図である。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
本発明に係る電子機器の一実施態様について、図１から図４９を参照して説明すると以下のとおりである。
【００２６】
＜電子機器の外観＞
図１は、本実施の形態に係る電子機器１００の外観を示した図である。図１を参照して、電子機器１００は、第１の筐体１００Ａと第２の筐体１００Ｂとを含む。
【００２７】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００２８】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００２９】
＜ハードウェア構成について＞
次に、図２を参照して、電子機器１００の具体的構成の一態様について説明する。図２は、電子機器１００のハードウェア構成を表わすブロック図である。
【００３０】
電子機器１００は、第１ユニット１００１と、第２ユニット１００２とを含む。第２ユニット１００２は、電子機器１００から着脱可能に第１ユニット１００１に接続されている。第１ユニット１００１は、本体装置１０１と、表示装置１０２とを含む。第２ユニット１００２は、表示装置１０３と、本体装置１０４とを含む。
【００３１】
第１の筐体１００Ａは、表示装置１０２を含む。第２の筐体１００Ｂは、本体装置１０１を含む。また、第２の筐体１００Ｂは、第２ユニット１００２を含む。
【００３２】
（第１ユニットについて）
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、外部通信部１７４と、マイク１７５と、スピーカ１７６と、操作キー１７７と、電源スイッチ１９１と、電源回路１９２と、電源検出部１９３と、ＵＳＢ（Universal Serial Bus）コネクタ１９４と、アンテナ１９５と、ＬＡＮ（Local Area Network）コネクタ１９６とを含む。各構成要素（１１０，１７１〜１７７，１９３）は、相互にデータバスＤＢ１によって接続されている。メモリカードリーダライタ１７３には、メモリカード１７３１が装着される。
【００３３】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。
【００３４】
外部通信部１７４は、他の電子機器と通信を行なう。具体的には、外部通信部１７４は、ＵＳＢコネクタ１９４を介して、たとえば第２ユニット１００２と通信を行なう。また、外部通信部１７４は、アンテナ１９５を介して、たとえば第２ユニット１００２と無線通信を行なう。さらに、外部通信部１７４は、ＬＡＮコネクタ１９６を介して、他の電子機器との間で有線通信を行なう。
【００３５】
なお、本体装置１０１は、Ｂｌｕｅｔｏｏｔｈ（登録商標）以外の無線通信により、他の電子機器と通信を行なってもよい。たとえば、外部通信部１７４は、図示しない無線ＬＡＮアンテナを介して、ＬＡＮに接続された他の電子機器との間で無線通信を行なってもよい。あるいは、図示しない赤外線ポートを介して、他の電子機器との間で無線通信を行なってもよい。
【００３６】
電源スイッチ１９１は、電子機器１００を起動させるためのスイッチである。
電源スイッチ１９１がオンすると、電源回路１９２は、電源検出部１９３を介して、データバスＤＢ１に接続されている各構成要素と表示装置１０２とに電力を供給する。また、電源スイッチ１９１がオンすると、電源回路１９２は、電源検出部１９３を介することなく、外部通信部１７４に電力を供給する。
【００３７】
電源検出部１９３は、電源回路１９２からの出力を検出する。また、電源検出部１９３は、当該検出した出力に関する情報（たとえば、電圧値や電流値）を、ＣＰＵ１１０に送る。
【００３８】
ＵＳＢコネクタ１９４は、第１ユニット１００１を第２ユニット１００２に接続するために用いられる。なお、本体装置１０１は、ＵＳＢコネクタ１９４に加えて他のＵＳＢコネクタを備えていてもよい。
【００３９】
第１ユニット１００１は、ＵＳＢコネクタ１９４を介して、第２ユニット１００２にデータを送信する。また、第１ユニット１００１は、ＵＳＢコネクタ１９４を介して、第２ユニット１００２からデータを受信する。さらに、第１ユニット１００１は、ＵＳＢコネクタ１９４を介して、第２ユニット１００２に電力を供給する。
【００４０】
アンテナ１９５は、第１ユニット１００１と、他の通信装置（たとえば第２ユニット１００２）との間における、Ｂｌｕｅｔｏｏｔｈ（登録商標）の規格に沿った通信に用いられる。ＬＡＮコネクタ１９６は、電子機器１００をＬＡＮに接続するために用いられる。
【００４１】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４２】
ドライバ１３０は、液晶パネル１４０およびバックライト１７９を駆動するための駆動回路である。ドライバ１３０に含まれる各種の駆動回路については、後述する。
【００４３】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００４４】
内部ＩＦ（Interface）１７８は、本体装置１０１と表示装置１０２との間で、データの遣り取りを仲介する。
【００４５】
バックライト１７９は、液晶パネル１４０の裏面に配置された光源である。バックライト１７９は、当該裏面に対して均一な光を照射する。
【００４６】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００４７】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００４８】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００４９】
上記コマンドは、上記光センサによりセンシングを指示するセンシングコマンドを含む。当該センシングコマンドの詳細および上記応答データの詳細については、後述する（図７，図８，および図１４）。
【００５０】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５１】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５２】
（第２ユニットについて）
第２ユニット１００２は、第１ユニット１００１から電力の供給を受ける。具体的には、後述するＵＳＢコネクタ２９４と第１ユニット１００１のＵＳＢコネクタ１９４とを接続することにより、第２ユニット１００２は、第１ユニット１００１の電源回路１９２から電力の供給を受ける。
【００５３】
本体装置１０４は、ＣＰＵ２１０と、ＲＡＭ２７１と、ＲＯＭ２７２と、外部通信部２７４と、電源検出部２９３と、ＵＳＢコネクタ２９４と、アンテナ２９５と、信号強度検出部２９７とを含む。各構成要素（２１０，２７１，２７２，２７４，２９３）は、相互にデータバスＤＢ２によって接続されている。
【００５４】
ＣＰＵ２１０は、プログラムを実行する。ＲＡＭ２７１は、ＣＰＵ２１０によるプログラムの実行により生成されたデータを揮発的に格納する。ＲＯＭ２７２は、データを不揮発的に格納する。また、ＲＯＭ２７２は、ＥＰＲＯＭ（Erasable Programmable Read-Only Memory）やフラッシュメモリなどのデータの書込みおよび消去が可能なＲＯＭである。
【００５５】
外部通信部２７４は、他の電子機器との間で通信を行なう。具体的には、外部通信部２７４は、ＵＳＢコネクタ２９４を介して、たとえば第１ユニット１００１と通信を行なう。また、外部通信部２７４は、アンテナ２９５を介して、たとえば第１ユニット１００１と通信を行なう。
【００５６】
なお、本体装置１０４は、Ｂｌｕｅｔｏｏｔｈ（登録商標）以外の無線通信により、他の電子機器（たとえば、第１ユニット１００１）と通信を行なってもよい。たとえば、外部通信部２７４は、図示しない赤外線ポートを介して、他の電子機器との間で無線通信を行なってもよい。
【００５７】
信号強度検出部２９７は、アンテナ２９５を介して受信した信号についての強度を検出する。そして、信号強度検出部２９７は、検出した強度を外部通信部２７４に送る。
【００５８】
ＵＳＢコネクタ２９４は、第２ユニット１００２を第１ユニット１００１に接続するために用いられる。
【００５９】
第２ユニット１００２は、ＵＳＢコネクタ２９４を介して、第１ユニット１００１にデータを送信する。また、第２ユニット１００２は、ＵＳＢコネクタ２９４を介して、第１ユニット１００１からデータを受信する。さらに、第２ユニット１００２は、上述したように、ＵＳＢコネクタ２９４を介して、第１ユニット１００１から電力の供給を受ける。なお、第２ユニット１００２は、第１ユニット１００１から供給された電力を、図示しないバッテリに蓄電する。
【００６０】
アンテナ２９５は、第２ユニット１００２と、たとえば第１ユニット１００１との間における、Ｂｌｕｅｔｏｏｔｈ（登録商標）の規格に沿った通信に用いられる。
【００６１】
電源検出部２９３は、ＵＳＢコネクタ２９４を介して給電された電力を検出する。また、電源検出部２９３は、当該検出した電力についての情報を、ＣＰＵ２１０に送る。
【００６２】
また、本体装置１０４は、赤外線通信を行なう機能を備えていてもよい。
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６３】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６４】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、外部通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６５】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６６】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６７】
ここでいうプログラムとは、ＣＰＵにより直接実行可能なプログラムだけでなく、ソースプログラム形式のプログラム、圧縮処理されたプログラム、暗号化されたプログラム等を含む。
【００６８】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６９】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００７０】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００７１】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００７２】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７３】
なお、ここでは、いわゆる線順次方式と呼ばれる駆動方式を用いて説明したが、駆動方式はこれに限定されるものではない。
【００７４】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７５】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７６】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７７】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７８】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７９】
光センサ駆動回路１３３は、図２に示すドライバ制御部１８１から制御信号ＴＣ２を受ける。
【００８０】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００８１】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００８２】
なお、電圧ＶＤＤＲを印加するタイミング、および電圧ＶＤＤを印加するタイミングについては、後述する。
【００８３】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８４】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８５】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８６】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【００８７】
アンプ１３５は、各センサ信号線（ＳＳ１〜ＳＳｎ）から出力された電圧を増幅する。なお、増幅された電圧は、図２に示した信号処理部１８３に送られる。
【００８８】
なお、画素回路１４１を用いて画像を液晶パネル１４０に表示させるタイミングと、光センサ回路１４４を用いてセンシングするタイミングとについては、画像処理エンジン１８０が制御する。
【００８９】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００９０】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００９１】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００９２】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９３】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９４】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９５】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９６】
なお、フォトダイオード１４５の位置は、上記の位置に限定されるものではなく、カラーフィルタ１５３ｒに対向する位置やカラーフィルタ１５３ｇに対向する位置に設けることも可能である。
【００９７】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９８】
以下では、光センサ回路１４４をリセットするためのリセット期間と、光センサ回路１４４を用いて光をセンシングするためのセンシング期間と、センシングした結果を読み出す読出期間とに分けて説明する。
【００９９】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１００】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【０１０１】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１０２】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１０３】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０４】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０５】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０６】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０７】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０８】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０９】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１１０】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１１１】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１１２】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１３】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１４】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１５】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１６】
以下では、電子機器１００が、両構成のいずれの構成をも採れるものとする。さらに、当該構成間の切り換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１７】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１８】
図６は、液晶パネル１４０とバックライト１７９との断面図であって、スキャンの際にフォトダイオード１４５がバックライト１７９からの光を受光する構成を示した図である。
【０１１９】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１２０】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１２１】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１２２】
以上により、表示装置１０２は、指９００によって光が反射されることにより得られる像（以下、反射像とも称する）をスキャンすることができる。
【０１２３】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２４】
なお、液晶パネル２４０も基本的に液晶パネル１４０と同様の構造を備えている。
＜データについて＞
次に、第１ユニット１００１と第２ユニット１００２との間でやり取りされるコマンド、および第１ユニット１００１内の本体装置１０１と表示装置１０２との間でやり取りされるコマンドについて説明する。
【０１２５】
図７は、コマンドの概略構成を示した図である。図７を参照して、コマンドは、ヘッダＤＡ０１と、第１フィールドＤＡ０２と、第２フィールドＤＡ０３と、第３フィールドＤＡ０４と、第４フィールドＤＡ０５と、第５フィールドＤＡ０６と、予備のデータ領域ＤＡ０７とを含む。
【０１２６】
図８は、種別「０００」のコマンド（つまり、センシングコマンド）を説明するための図である。ＣＰＵ１１０は、種別「０００」のコマンド（以下、「第１コマンド」と称する）を、第１ユニット１００１の本体装置１０１から第２ユニット１００２に送る。あるいは、ＣＰＵ１１０は、第１コマンドを、本体装置１０１から表示装置１０２に送る。なお、以下においては、ＣＰＵ１１０が第１コマンドを第１ユニット１００１の本体装置１０１から第２ユニット１００２に送る場合を例に挙げて説明する。
【０１２７】
ＣＰＵ１１０は、ヘッダＤＡ０１に、コマンドの種別（「０００」）、コマンドの送信先等を書き込む。ＣＰＵ１１０は、第１フィールドＤＡ０２に、番号が「１」のタイミングの値を書き込む。ＣＰＵ１１０は、第２フィールドＤＡ０３に、番号が「２」のデータ種別の値を書き込む。ＣＰＵ１１０は、第３フィールドＤＡ０４に、番号が「３」の読取方式の値を書き込む。ＣＰＵ１１０は、第４フィールドＤＡ０５に、番号が「４」の画像階調の値を書き込む。ＣＰＵ１１０は、第５フィールドＤＡ０６に、番号が「５」の解像度の値を書き込む。
【０１２８】
第１フィールドＤＡ０２に「００」が設定された第１コマンドは、画像処理エンジン２８０に対して、そのときのスキャンデータの送信を要求する。つまり、センシング第１コマンドは、当該第１コマンドを画像処理エンジン２８０が受信した後に、液晶パネル２４０の光センサ回路を用いてスキャンすることにより得られるスキャンデータの送信を要求する。また、第１フィールドＤＡ０２に「０１」が設定された第１コマンドは、スキャン結果に変化があったときのスキャンデータの送信を要求する。さらに、第１フィールドＤＡ０２に「１０」が設定された第１コマンドは、一定周期毎にスキャンデータの送信を要求する。
【０１２９】
第２フィールドＤＡ０３に「００１」が設定された第１コマンドは、部分画像における中心座標の座標値の送信を要求する。また、第２フィールドＤＡ０３に「０１０」が設定された第１コマンドは、スキャン結果が変化した部分画像のみの送信を要求する。なお、スキャン結果が変化したとは、前回のスキャン結果と今回のスキャン結果が異なっていることを指す。さらに、第２フィールドＤＡ０３に「１００」が設定された第１コマンドは、全体画像の送信を要求する。
【０１３０】
ここで、「全体画像」とは、ｍ×ｎ個の光センサ回路を用いてスキャンした際に、各光センサ回路から出力される電圧に基づいて、画像処理エンジン２８０により生成された画像である。また、「部分画像」とは、全体画像の一部である。部分画像に関して、スキャン結果が変化した部分画像のみの送信を要求する構成とした理由については後述する。
【０１３１】
なお、上記座標値と上記部分画像または上記全体画像とを同時に要求する構成としてもよい。また、液晶パネル２４０の表面の一部の領域に関してスキャンを行う構成の場合には、上記全体画像はスキャンが行われる領域に対応した画像となる。
【０１３２】
第３フィールドＤＡ０４に「００」が設定されたセンシング第１コマンドは、バックライト２７９を点灯してスキャンすることを要求する。また、第３フィールドＤＡ０４に「０１」が設定された第１コマンドは、バックライト２７９を消灯してスキャンすることを要求する。なお、バックライト２７９を消灯してスキャンする構成については後述する（図１７）。さらに、第３フィールドＤＡ０４に「１０」が設定された第１コマンドは、反射と透過とを併用してスキャンすることを要求する。なお、反射と透過とを併用するとは、バックライト２７９を点灯してスキャンする方式と、バックライトを消灯してスキャンする方式とを切り換えて、スキャン対象物のスキャンを行うことを指す。
【０１３３】
第４フィールドＤＡ０５に「００」が設定された第１コマンドは、白黒の２値の画像データを要求する。また、第４フィールドＤＡ０５に「０１」が設定された第１コマンドは、多階調の画像データを要求する。さらに、第４フィールドＤＡ０５に「１０」が設定された第１コマンドは、ＲＧＢのカラーの画像データを要求する。
【０１３４】
第５フィールドＤＡ０６に「０」が設定された第１コマンドは、解像度の高い画像データを要求する。また、第５フィールドＤＡ０６に「１」が設定された第１コマンドは、解像度の低い画像データを要求する。
【０１３５】
また、上記第１コマンドには、図８に示したデータ以外に、スキャンを行う領域（光センサ回路１４４を駆動する画素の領域）の指定、スキャンを行うタイミング、バックライト１７９の点灯のタイミングなどが記述されている。
【０１３６】
なお、画像処理エンジン２８０は、第１コマンドの内容を解析し、当該解析の結果に従ったデータ（つまり、応答データ）を本体装置１０１に送り返す。
【０１３７】
図９は、種別「００１」のコマンド（以下、「第２コマンド」と称する）を説明するための図である。ＣＰＵ１１０は、第２コマンドを、第１ユニット１００１の本体装置１０１から第２ユニット１００２に送る。
【０１３８】
ＣＰＵ１１０は、ヘッダＤＡ０１に、コマンドの種別（「００１」）、コマンドの送信先等を書き込む。ＣＰＵ１１０は、第１フィールドＤＡ０２に、番号が「１」の表示要求の値を書き込む。ＣＰＵ１１０は、第２フィールドＤＡ０３に、番号が「２」の個数／種類に関する情報を書き込む。ＣＰＵ１１０は、第３フィールドＤＡ０４に、番号が「３」の表示範囲の値を書き込む。ＣＰＵ１１０は、第４フィールドＤＡ０５に、番号が「４」の画像データに関する情報を書き込む。
【０１３９】
第１フィールドＤＡ０２に「００１」が設定された第２コマンドは、液晶パネル２４０（サブ画面）に画像を表示させることを画像処理エンジン２８０に対して要求する。また、第１フィールドＤＡ０２に「０１０」が設定された第２コマンドは、液晶パネル２４０にアイコンを表示させることを画像処理エンジン２８０に対して要求する。さらに、第１フィールドＤＡ０２に「０１１」が設定された第２コマンドは、液晶パネル２４０に手書領域を表示させることを画像処理エンジン２８０に対して要求する。
【０１４０】
第２フィールドＤＡ０３には、液晶パネル２４０に表示させる画像の個数、および手書言語の種類を指定する番号が格納される。画像処理エンジン２８０は、当該画像の個数、または言語の種類に応じた処理を行う。
【０１４１】
第３フィールドＤＡ０４に「０１」が設定された第２コマンドは、液晶パネル２４０における表示範囲を座標にて指定することを、画像処理エンジン２８０に対して要求する。また、第３フィールドＤＡ０４に「１０」が設定された第２コマンドは、液晶パネル２４０における表示範囲を表示領域の全体にすることを、画像処理エンジン２８０に対して要求する。
【０１４２】
第４フィールドＤＡ０５には、液晶パネル２４０に表示させる画像データと、当該画像データを表示する位置情報とが格納される。画像処理エンジン２８０は、当該位置情報で特定される位置に当該画像データを表示する処理を行う。
【０１４３】
図１０は、種別「０１０」のコマンド（以下、「第３コマンド」と称する）を説明するための図である。ＣＰＵ１１０は、第３コマンドを、第１ユニット１００１の本体装置１０１から第２ユニット１００２に送る。あるいは、ＣＰＵ２１０は、第３コマンドを、第２ユニット１００２の本体装置１０４から第１ユニット１００１に送る。
【０１４４】
ＣＰＵ１１０，２１０は、ヘッダＤＡ０１に、コマンドの種別（「００１」）、コマンドの送信先等を書き込む。ＣＰＵ１１０，２１０は、第１フィールドＤＡ０２に、番号が「１」のＯＳ（Operating System）処理要求の値を書き込む。ＣＰＵ１１０，２１０は、第２フィールドＤＡ０３に、番号が「２」のＯＳ情報の値を書き込む。
【０１４５】
第１フィールドＤＡ０２に「０１」または「１０」が設定された第３コマンドは、第２ユニット１００２から第１ユニット１００１に送信される。
【０１４６】
第１フィールドＤＡ０２に「０１」が設定された第３コマンドは、第１ユニット１００１に対して、当該第１ユニット１００１（メイン装置）のＯＳの種類を示した情報の送信を要求する。また、第１フィールドＤＡ０２に「１０」が設定された第３コマンドは、第１ユニット１００１に対して、ＯＳ情報にて指定されたＯＳの起動を要求する。
【０１４７】
第２フィールドＤＡ０３に「０００」、「００１」、または「０１０」が設定された第３コマンドは、第２ユニット１００２から第１ユニット１００１に送信される。
【０１４８】
第２フィールドＤＡ０３に「０００」が設定された第３コマンドは、第１ユニット１００１におけるＯＳの起動を要求しない。また、第２フィールドＤＡ０３に「００１」が設定された第３コマンドは、第２ユニット１００２が第１ＯＳの起動を選択したことを示す。さらに、第２フィールドＤＡ０３に「０１０」が設定された第３コマンドは、第２ユニット１００２が第２ＯＳの起動を選択したことを示す。
【０１４９】
図１１は、種別「０１１」のコマンド（以下、「第４コマンド」と称する）を説明するための図である。ＣＰＵ２１０は、第４コマンドを、第２ユニット１００２の本体装置１０４から第１ユニット１００１に送る。
【０１５０】
ＣＰＵ２１０は、ヘッダＤＡ０１に、コマンドの種別（「０１１」）、コマンドの送信先等を書き込む。ＣＰＵ２１０は、第１フィールドＤＡ０２に、番号が「１」の起動アプリに関する情報を書き込む。ＣＰＵ２１０は、第２フィールドＤＡ０３に、番号が「２」の起動時情報を書き込む。
【０１５１】
第１フィールドＤＡ０２には、第１ユニット１００１において起動させるアプリを指定する情報が格納される。第２フィールドＤＡ０３には、起動設定時に用いる情報、および起動後に用いる情報が格納される。
【０１５２】
図１２は、種別「１００」のコマンド（以下、「第５コマンド」と称する）を説明するための図である。ＣＰＵ２１０は、第５コマンドを、第２ユニット１００２の本体装置１０４から第１ユニット１００１に送る。
【０１５３】
ＣＰＵ２１０は、ヘッダＤＡ０１に、コマンドの種別（「１００」）、コマンドの送信先等を書き込む。ＣＰＵ２１０は、第１フィールドＤＡ０２に、番号が「１」の受信要求に関する情報を書き込む。ＣＰＵ２１０は、第２フィールドＤＡ０３に、番号が「２」の個数に関する情報を書き込む。ＣＰＵ２１０は、第３フィールドＤＡ０４に、番号が「３」のファイルに関する情報を書き込む。
【０１５４】
第１フィールドＤＡ０２に「０１」が設定された第５コマンドは、第１ユニット１００１に対してファイルの受信を要求する。また、第２フィールドＤＡ０３には、第２ユニット１００２が第１ユニット１００１に送信するファイルの個数が格納される。さらに、第３フィールドＤＡ０４には、第２ユニット１００２が第１ユニット１００１に送信するファイルが格納される。
【０１５５】
図１３は、種別「１０１」のコマンド（以下、「第６コマンド」と称する）を説明するための図である。ＣＰＵ１１０は、第６コマンドを、第１ユニット１００１の本体装置１０１から第２ユニット１００２に送る。あるいは、ＣＰＵ２１０は、第６コマンドを、第２ユニット１００２の本体装置１０４から第１ユニット１００１に送る。
【０１５６】
ＣＰＵ１１０，２１０は、ヘッダＤＡ０１に、コマンドの種別（「１０１」）、コマンドの送信先等を書き込む。ＣＰＵ１１０，２１０は、第１フィールドＤＡ０２に、番号が「１」の通信種別の値を書き込む。ＣＰＵ１１０，２１０は、第２フィールドＤＡ０３に、番号が「２」の接続先の値を書き込む。ＣＰＵ１１０，２１０は、第３フィールドＤＡ０４に、番号が「３」の転送先の値を書き込む。ＣＰＵ１１０，２１０は、第４フィールドＤＡ０５に、番号が「４」の信号強度の取得タイミングの値を書き込む。
【０１５７】
第１フィールドＤＡ０２に「００１」が設定された第６コマンドは、相手側の装置に対して赤外線通信を行なうことを要求する。また、第１フィールドＤＡ０２に「０１０」が設定された第６コマンドは、相手側の装置に対してＢｌｕｅｔｏｏｔｈ（登録商標）による無線通信を行なうことを要求する。さらに、第１フィールドＤＡ０２に「０１１」が設定された第６コマンドは、相手側の装置に対してＬＡＮ通信を行なうことを要求する。
【０１５８】
第２フィールドＤＡ０３に「０００」が設定された第６コマンドは、通信の接続先を指定する情報を有していないことを示す。
【０１５９】
また、第２フィールドＤＡ０３に「００１」が設定された第６コマンドは、第１ユニット１００１によって、当該第１ユニット１００１の接続先の装置に送信される。そのような第６コマンドは、第１ユニット１００１が接続する装置に関する情報の送信を要求する。
【０１６０】
さらに、第２フィールドＤＡ０３に「０１０」が設定された第６コマンドは、第２ユニット１００２によって、当該第２ユニット１００２の接続先の第１ユニット１００１に送信される。そのような第６コマンドは、第２ユニット１００２が接続する第１ユニット１００１に関する情報の送信を要求する。
【０１６１】
また、第２フィールドＤＡ０３に「０１１」が設定された第６コマンドは、第２ユニット１００２によって、当該第２ユニット１００２の接続先の第１ユニット１００１に送信される。そのような第６コマンドは、第２ユニット１００２に関する情報を接続先の機器情報として設定することを要求する。
【０１６２】
さらに、第２フィールドＤＡ０３に「１００」が設定された第６コマンドは、第１ユニット１００１によって、当該第１ユニット１００１の接続先の装置（たとえば、第２ユニット１００２）に送信される。そのような第６コマンドは、第１ユニット１００１に関する情報を接続先の機器情報として設定することを要求する。
【０１６３】
第３フィールドＤＡ０４に「０００」が設定された第６コマンドは、データ（たとえば、ファイル）の転送先を指定する情報を有していないことを示す。
【０１６４】
また、第３フィールドＤＡ０４に「００１」が設定された第６コマンドは、第１ユニット１００１によって、データ転送先の装置に送信される。そのような第６コマンドは、データ転送先の装置に関する情報の送信を要求する。
【０１６５】
さらに、第３フィールドＤＡ０４に「０１０」が設定された第６コマンドは、第２ユニット１００２によって、データ転送先の第１ユニット１００１に送信される。そのような第６コマンドは、データ転送先の第１ユニット１００１に関する情報の送信を要求する。
【０１６６】
また、第３フィールドＤＡ０４に「０１１」が設定された第６コマンドは、第２ユニット１００２によって、データ転送先の第１ユニット１００１に送信される。そのような第６コマンドは、第２ユニット１００２に関する情報をデータ転送元の機器情報として設定することを要求する。
【０１６７】
さらに、第３フィールドＤＡ０４に「１００」が設定された第６コマンドは、第１ユニット１００１によって、データ転送先の装置（たとえば、第２ユニット１００２）に送信される。そのような第６コマンドは、第１ユニット１００１に関する情報をデータ転送元の機器情報として設定することを要求する。
【０１６８】
第４フィールドＤＡ０５に「００」、「０１」、「１０」、または「１１」が設定された第６コマンドは、第１ユニット１００１によって、第２ユニット１００２に送信される。
【０１６９】
第４フィールドＤＡ０５に「００」が設定された第６コマンドは、第２ユニット１００２に対して、信号強度を示したデータの送信を要求しない。また、第４フィールドＤＡ０５に「０１」が設定された第６コマンドは、信号強度検出部２９７に対して、そのときの信号強度を示したデータの送信を要求する。さらに、第４フィールドＤＡ０５に「１０」が設定された第６コマンドは、信号強度に変化があったときの信号強度を示したデータの送信を要求する。また、第４フィールドＤＡ０５に「１１」が設定された第６コマンドは、一定周期毎に信号強度を示したデータの送信を要求する。
【０１７０】
図１４は、応答データの概略構成を示した図である。応答データは、第１コマンド（センシングコマンド）の内容に応じたデータである。
【０１７１】
第１コマンドが本体装置１０１から第２ユニット１００２に送信された場合、ＣＰＵ２１０は、応答データを、表示装置１０３から第１ユニット１００１に送信する。また、第１コマンドが本体装置１０１から第１ユニット１００１の表示装置１０２に送信された場合、画像処理エンジン１８０は、応答データを、画像処理エンジン１８０から本体装置１０１に送信する。なお、以下では、第１コマンドが本体装置１０１から第２ユニット１００２に送信された場合を例に挙げて説明する。
【０１７２】
図１４を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン２８０のタイマ２８２から取得した時刻情報が書き込まれる。さらに、画像を示すデータ領域には、画像処理エンジン２８０により処理がされた後の画像データ（つまり、スキャンデータ）が書き込まれる。
【０１７３】
図１５は、指９００をスキャンすることにより得られた画像（つまり、スキャン画像）を示した図である。図１５を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７４】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７５】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１７６】
ただし、必ずしも中心座標の位置は上記に限定されるものではなく、中心座標を上記図心の座標あるいは図心の近傍の座標としてもよい。
【０１７７】
第１コマンドのデータ種別を示すデータ領域に「００１」が設定されている場合には、画像処理エンジン２８０は、座標を示すデータ領域ＤＡ１２に上記中心座標の値を書き込む。この場合、画像処理エンジン２８０は、画像を示すデータ領域ＤＡ１４には画像データを書き込まない。画像処理エンジン２８０は、上記中心座標の値の書き込みを行なった後、当該中心座標の値を含む応答データを本体装置１０４に送る。本体装置１０４は、当該中心座標の値を含む応答データを第１ユニット１００１の本体装置１０１に送る。このように、データ種別を示すデータ領域に「００１」が設定されている場合には、第１コマンドは、画像データの出力を要求せずに、中心座標の値の出力を要求する。
【０１７８】
また、第１コマンドのデータ種別を示すデータ領域に「０１０」が設定されている場合には、画像処理エンジン２８０は、画像を示すデータ領域ＤＡ１４に、スキャン結果が変化した部分画像の画像データを書き込む。この場合、画像処理エンジン２８０は、中心座標の値を座標を示すデータ領域ＤＡ１２に書き込まない。画像処理エンジン２８０は、上記スキャン結果が変化した部分画像の画像データの書き込みを行なった後、当該部分画像の画像データを含む応答データを本体装置１０４に送る。本体装置１０４は、当該部分画像の画像データを含む応答データを第１ユニット１００１の本体装置１０１に送る。このように、データ種別を示すデータ領域に「０１０」が設定されている場合には、第１コマンドは、中心座標の値の出力を要求せずに、スキャン結果が変化した部分画像の画像データの出力を要求する。
【０１７９】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８０】
また、第１コマンドのデータ種別を示すデータ領域に「０１１」が設定されている場合には、画像処理エンジン２８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン２８０は、当該中心座標の値と当該部分画像の画像データとを含む応答データを本体装置１０４に送る。本体装置１０４は、当該中心座標の値と当該部分画像の画像データとを含む応答データを第１ユニット１００１の本体装置１０１に送る。このように、データ種別を示すデータ領域に「０１１」が設定されている場合には、第１コマンドは、中心座標の値の出力と、スキャン結果が変化した部分画像の画像データの出力とを要求する。
【０１８１】
また、第１コマンドのデータ種別を示すデータ領域に「１００」が設定されている場合には、画像処理エンジン２８０は、図１４に示した応答データの画像を示すデータ領域ＤＡ１４に、全体画像の画像データを書き込む。この場合、画像処理エンジン２８０は、中心座標の値を座標を示すデータ領域ＤＡ１２に書き込まない。画像処理エンジン２８０は、上記全体画像の画像データの書き込みを行なった後、当該全体画像の画像データを含む応答データを本体装置１０４に送る。本体装置１０４は、当該全体画像の画像データを含む応答データを第１ユニット１００１の本体装置１０１に送る。このように、データ種別を示すデータ領域に「１００」が設定されている場合には、第１コマンドは、中心座標の値の出力を要求せずに、全体画像の画像データの出力を要求する。
【０１８２】
また、第１コマンドのデータ種別を示すデータ領域に「１０１」が設定されている場合には、画像処理エンジン２８０は、座標を示すデータ領域ＤＡ１２に中心座標の値を書き込むとともに、画像を示すデータ領域ＤＡ１４に全体画像の画像データを書き込む。その後、画像処理エンジン２８０は、当該中心座標の値と当該全体画像の画像データとを含む応答データを本体装置１０４に送る。本体装置１０４は、当該中心座標の値と当該全体画像の画像データとを含む応答データを第１ユニット１００１の本体装置１０１に送る。このように、データ種別を示すデータ領域に「１０１」が設定されている場合には、第１コマンドは、中心座標の値の出力と、全体画像の画像データの出力とを要求する。
【０１８３】
＜構成の第１の変形例について＞
ところで、液晶パネル１４０の構成は、図３に示した構成に限定されるものではない。以下では、図３とは異なる態様の液晶パネルについて説明する。
【０１８４】
図１６は、上記異なる態様である光センサ内蔵液晶パネル１４０Ａの回路図である。図１６を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１８５】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１８６】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１８７】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１８８】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１８９】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１９０】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１９１】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１９２】
以上述べたように、電子機器１００が液晶パネル１４０Ａを備えた構成とすることにより、スキャン対象物をカラーでスキャンできることになる。
【０１９３】
次に、図１７を参照して、前述のスキャンの方法（つまり、図６における反射像をスキャンする方法）とは異なるスキャンの方法について説明する。
【０１９４】
図１７は、スキャンの際にフォトダイオードが外光を受光する構成を示した断面図である。同図に示すとおり、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１９５】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１９６】
以上により、表示装置１０２は、指９００によって外光が遮られることにより得られる像（以下、影像とも称する）をスキャンすることができる。
【０１９７】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１９８】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１９９】
＜表示装置について＞
表示装置１０３の動作は、表示装置１０２の動作と同様、本体装置１０１からのコマンド（たとえば、第１コマンド）に応じて制御される。表示装置１０３は表示装置１０２と同様な構成を有する。それゆえ、表示装置１０３が表示装置１０２と同じコマンドを本体装置１０１から受付けた場合、表示装置１０３は表示装置１０２と同様の動作を行う。このため、表示装置１０３の構成や動作についての説明は繰り返さない。
【０２００】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０２０１】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０２０２】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０２０３】
図１８は、電子機器１３００のハードウェア構成を表すブロック図である。電子機器１３００は、電子機器１００と同様、第１の筐体１００Ａと、第２の筐体１００Ｂとを含む。また、図１８を参照して、電子機器１３００は、第１ユニット１００１Ａと、第２ユニット１００２とを含む。第１ユニット１００１Ａは、本体装置１０１と、表示装置１０２Ａとを含む。第２ユニット１００２は、本体装置１０４と、表示装置１０３とを含む。
【０２０４】
表示装置１０２Ａは、光センサを内蔵しない液晶パネル（つまり、表示機能のみを有する液晶パネル）を含む。電子機器１３００は、第１ユニット１００１Ａが光センサを内蔵しない液晶パネルを含む点で、第１ユニット１００１が光センサを内蔵した液晶パネル２４０を含む電子機器１００と異なる。このような電子機器１３００は、第２ユニット１００２の表示装置１０３を用いて上述したセンシングを行なう。
【０２０５】
また、第１ユニット１００１は、光センサを内蔵した液晶パネル１４０の代わりに、たとえば抵抗膜方式や静電容量方式のタッチパネルを備えてもよい。
【０２０６】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０２０７】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０２０８】
本実施の形態に係る電子機器１００は、上記のように構成されているため、第２ユニット１００２が、ＵＳＢコネクタ１９４，２９４を介して第１ユニット１００１に着脱自在になっている。
【０２０９】
そして、本実施の形態に係る電子機器１００は、たとえば電源投入時において、以下のような機能を発揮することができる。まず、ユーザが第１ユニット１００１の電源スイッチ１９１を押下すると、第１ユニット１００１は電源回路１９２からの電力を利用することによってＢＩＯＳ（Basic Input/Output System）を起動させる。
【０２１０】
第２ユニット１００２は、ＵＳＢコネクタ１９４，２９４を介して第１ユニット１００１から電力を取得する。第２ユニット１００２は、当該電力を利用することによって、第１ユニット１００１との間でデータを送受信することができる。このとき、第２ユニット１００２のＣＰＵ２１０は、ＵＳＢコネクタ１９４，２９４からの電力を使用することによって、液晶パネル２４０にＯＳ（Operation System）の種類を選択可能に表示させることができる。
【０２１１】
ユーザは、液晶パネル２４０を介して、起動したいＯＳを選択する。ＣＰＵ２１０は、ユーザの選択に応じ、ＵＳＢコネクタ１９４，２９４を介して第１ユニット１００１へと、起動すべきＯＳを指定するコマンド（たとえば、図１０に示す「第１のＯＳ」コマンド）を送信する。第１ユニット１００１は、当該コマンドに応じて、ＯＳを起動する。
【０２１２】
また、たとえば、第２ユニット１００２は、アンテナ２９５を介して外部の携帯電話などとの間でデータの送受信を行なう。第２ユニット１００２のＣＰＵ２１０は、アンテナ２９５を介して、外部の携帯電話から写真画像データや対応するサムネイルデータを取得して、当該写真画像データや対応するサムネイルデータをＲＡＭ２７１などに格納する。ＣＰＵ２１０は、ＲＡＭ２７１からサムネイルデータを読み出して、液晶パネル２４０に写真のサムネイル画像を選択可能に表示させる。
【０２１３】
そして、外部からの選択命令に応じて、ＣＰＵ２１０は、液晶パネル２４０に写真画像を表示させる。あるいは、ＣＰＵ２１０は、ＵＳＢコネクタ２９４を介して、写真画像を液晶パネル１４０あるいは表示装置１０２Ａに表示させる。
＜＜具体的な実現例＞＞
［実施の形態１］
次に、上述の構成を用いる電子機器１００の具体的な実現例について説明する。
【０２１４】
＜電子機器１００の機能ブロック＞
図１９は、電子機器１００の機能ブロックを示した図である。図１９を参照して、電子機器１００は、制御部１０と、記憶装置９０と、液晶パネル１４０，２４０とを備える。制御部１０は、表示制御部１１と、第１検知部１２と、第２検知部１３と、解除検知部１４と、ファイルオープン部１５と、変更部１６とを含む。なお、記憶装置９０は、ＲＡＭ１７１やハードディスク（図示せず）により構成される。
【０２１５】
表示制御部１１は、記憶装置９０内のＶＲＡＭ（図示せず）に格納された画像データに基づき、液晶パネル１４０,２４０に画像を表示させる。また、表示制御部１１は、液晶パネル１４０の表示領域において表示されているアイコンやウィンドウの当該表示領域での位置を示した位置情報を、第１検知部１２および第２検知部１３に送る。
【０２１６】
たとえばユーザの指やスタイラスなどが液晶パネル１４０の表示領域に接触した場合、第１検知部１２は、当該表示領域における点が指定されたことを検知する。第１検知部１２は、当該指定された点の座標を表示制御部１１に送る。たとえば、第１検知部１２は、上述した第１コマンドに対する応答データ（図１４参照）に基づいて、部分画像の中心座標（図１０）で示される中心点Ｃ１（図１５参照）が指定されたことを検知する。第１検知部１２は、当該中心座標の値を表示制御部１１に送る。
【０２１７】
また、第１検知部１２は、点が指定されたことを示すデータを、第２検知部１３に送る。なお、以下では、液晶パネル１４０の表示領域に接触するものが「指」である場合を例に挙げて説明する。
【０２１８】
上記指定された点が、アイコンやウィンドウといった画像（以下、「第２画像」ともいう）と重なる点である場合、第１検知部１２は、当該第２画像が選択されたと判断する。第１検知部１２は、表示制御部１１から取得した上記位置情報に基づき、当該判断を行なう。なお、第２画像が選択されたと判断された場合、表示制御部１１は、当該第２画像の表示態様を、当該第２画像が選択されていることを示す態様に変化させることが好ましい。
【０２１９】
第２検知部１３は、第１検知部１２から上記データが送られてきたことを条件に、液晶パネル１４０の表示領域に表示されているアイコンなどの画像（以下、「第１画像」ともいう）が選択されたことを検知する。
【０２２０】
具体的には、上記データが送られてきたことを条件に、ユーザの指が液晶パネル１４０の表示領域に接触した場合、第２検知部１３は、当該表示領域における点が指定されたことを検知する。第２検知部１３は、当該位置の座標を表示制御部１１に送る。上記指定された点に第１画像が表示されている場合、第２検知部１３が、点が指定されたことを検知すると、第２検知部１３は、当該第１画像が選択されたと判断する。第２検知部１３は、表示制御部１１から取得した上記位置情報に基づき、当該判断を行なう。なお、第１画像が選択されたと判断された場合、表示制御部１１は、当該第１画像の表示態様を、当該第１画像が選択されていることを示す態様に変化させることが好ましい。
【０２２１】
第２検知部１３は、さらに、第１画像が選択された状態において、上記選択された第１画像を移動するための操作入力を受け付けたことを検知する。具体的には、第２検知部１３は、表示領域に接触している指が表示領域上を移動したことを検知する。なお、第２検知部１３は、上述したスキャンデータに基づき、当該移動を検知する。第２検知部１３は、操作入力を受け付けたことを検知した場合、操作入力を受け付けたことを示すデータを表示制御部１１および変更部１６に送る。
【０２２２】
表示制御部１１は、上記操作入力に基づいて、第１画像の表示位置を、選択された際に表示されていた位置から、上記指定された点に応じた位置に切換える。たとえば、表示制御部１１は、第２画像に重なる位置に第１画像を表示させる。また、たとえば、表示制御部１１は、ウィンドウ内の領域に第１画像を表示させる。
【０２２３】
また、第１画像が１つ選択された状態において、上記選択された第１画像を移動するための操作入力を受け付けていないことを条件に、第２検知部１３は、当該表示領域における点が指定されたことを検知する。上記指定された点に他の第１画像が表示されている場合、第２検知部１３は、点が指定されたことを検知すると、当該他の第１画像が選択されたと判断する。つまり、第２検知部１３は、２つの第１画像が選択されたことを検知する。さらに、当該２つの第１画像に挟まれている他の第１画像が存在する場合、第２検知部１３は、当該他の第１画像についても選択されたと判断する。
【０２２４】
２つの第１画像が選択されたことが検知された場合、表示制御部１１は、上記操作入力に基づいて、２つの第１画像と、当該２つの第１画像に挟まれている上記他の第１画像とを、第２画像に重なる位置に表示させる。
【０２２５】
ところで、第１検知部１２が第２画像の選択を検知した場合、制御部１０は、当該第２画像に関連付けて記憶装置９０に格納された当該第２画像の属性を示すデータに基づいて、第２画像がアイコンかウィンドウであるかを判断する。また、制御部１０が、第１画像がアイコンであると判断した場合、制御部１０は、当該アイコンで特定されるファイルの種類を判断する。たとえば、制御部１０は、当該ファイルが、アプリケーションで開くことが可能なファイルであるか、あるいは前記アプリケーションを実行する実行ファイルであるか等を判断する。
【０２２６】
また、第２検知部１３が第１画像の選択を検知した場合、制御部１０は、第１画像がアイコンかウィンドウであるかを判断する。また、制御部１０が、第１画像がアイコンであると判断した場合、制御部１０は、当該アイコンで特定されるファイルの種類を判断する。たとえば、制御部１０は、当該ファイルが、アプリケーションで開くことが可能なファイルであるか、あるいは当該アプリケーションを実行する実行ファイルであるか等を判断する。
【０２２７】
アプリケーションで開くことが可能なファイルとは、たとえば、ワードプロセッサのソフトウェアを用いて作成されたファイル、表計算のソフトウェアを用いて作成されたファイル、テキストエディタを用いて作成されたファイルなどが挙げられる。テキストエディタを用いて作成されたファイルの拡張子は、たとえば「ｔｘｔ」となる。また、アプリケーションを実行する実行ファイルとは、たとえば、ＥＸＥフォーマットのファイルが挙げられる。なお、ＥＸＥフォーマットの場合、ファイルの拡張子は「ｅｘｅ」となる。
【０２２８】
解除検知部１４およびファイルオープン部１５は、第１画像が、アプリケーションで開くことが可能なファイルを示したアイコンであって、第２画像が、上記アプリケーションを実行する実行ファイルのショートカットを示したアイコンである場合に機能する。
【０２２９】
解除検知部１４は、第２画像の選択が解除されたことを検知する。具体的には、第２画像の選択に用いられていたユーザの指が液晶パネル１４０の表示領域から離れた場合、解除検知部１４は、第２画像の選択が解除されたことを検知する。解除検知部１４は、第２画像の選択が解除されたことを検知すると、第２画像の選択が解除されたことを示したデータをファイルオープン部１５に送る。
【０２３０】
第２画像に重なる位置に第１画像が表示された場合、解除検知部１４が上記選択が解除されたことを検知すると、ファイルオープン部１５は、上記アプリケーションによってファイルを開く。つまり、ファイルオープン部１５は、上記ショートカットのアイコンにより特定されるアプリケーションによって、上記ファイルのアイコンで特定されるファイルを開く。
【０２３１】
変更部１６は、第１画像が、ファイルを示すアイコンであって、第２画像が、ファイルを格納するフォルダを開いた場合に示されるウィンドウである場合に機能する。表示制御部１１が、ウィンドウ内の領域に第１画像を表示させた場合、変更部１６は、当該第１画像により特定されるファイルの保存先を、第２画像で特定されるフォルダに変更する。
【０２３２】
＜操作例１＞
アイコンの表示位置の切換えに関する操作例について説明する。以下では、第１画像がファイルを示すアイコンであり、上記指定された点が第２画像と重なる点ではない場合について説明する。
【０２３３】
図２０は、液晶パネル１４０の表示領域に、第１画像として、ファイルを示すアイコン４０１が表示された状態を示した図である。図２０を参照して、アイコン４０１は、表示領域の右上に表示されている。
【０２３４】
図２１は、ユーザが左手の指９００Ａを液晶パネル１４０の表示領域に接触させた状態を示した図である。このように、ユーザが指９００Ａを表示領域に接触させることにより、第１検知部１２は、表示領域における点が指定されたことを検知する。
【０２３５】
図２２は、指９００Ａを表示領域に接触させた状態で、ユーザが右手の指９００Ｂを当該表示領域に接触させた状態を示した図である。より詳しくは、図２２は、指９００Ｂがアイコン４０１が表示されている位置に接触している状態を示した図である。このように、ユーザが指９００Ｂをアイコン４０１が表示されている位置に接触させることにより、第２検知部１３は、アイコン４０１が選択されたことを検知する。以下、表示パネル１４０と指９００Ｂとが接触した状態で、ユーザが矢印８０１で示す方向に指９００Ｂを移動させた場合について説明する。
【０２３６】
図２３は、ユーザが矢印８０１で示す方向に指９００Ｂを移動させた後の状態を示した図である。より詳しくは、図２３は、指９００Ｂの移動後の、アイコン４０１の移動の態様を模式的に示した図である。図２３を参照して、電子機器１００は、上記指定された点に応じた位置まで、アイコン４０１の表示位置を連続的にずらす。つまり、電子機器１００は、時間の経過とともにアイコン４０１の表示位置を変化させる。
【０２３７】
なお、図２２では、ユーザが矢印８０１で示す方向（つまり指９００Ａの方向）に指９００Ｂを移動させているが、指９００Ｂの移動方向は矢印８０１の方向に限定されるものではない。また、指９００Ｂを移動させる距離については、特に限定されるものではない。たとえば指９００Ｂが１ｃｍ動いたときに、電子機器１００は、上記指定された点に応じた位置までアイコン４０１を移動させる指示を受付けたと判断してもよい。
【０２３８】
また、指９００Ｂを移動させることによりアイコン４０１が移動を開始した時点で、ユーザが指９００Ａおよび指９００Ｂを表示領域から離しても、電子機器１００がアイコンの４０１の移動を継続するように電子機器１００を構成してもよい。あるいは、アイコン４０１が移動を開始した時点で、ユーザが指９００Ａまたは９００Ｂを表示領域から離しても、電子機器１００がアイコンの４０１の移動を継続するように、電子機器１００を構成してもよい。あるいは、アイコン４０１が移動を開始した後、ユーザが指９００Ａおよび指９００Ｂを表示領域に接触させ続けなければ、電子機器１００がアイコンの４０１の移動を継続しないように、電子機器１００を構成してもよい。あるいは、アイコン４０１が移動を開始した後、ユーザが指９００Ａまたは指９００Ｂを表示領域に接触させ続けなければ、電子機器１００がアイコンの４０１の移動を継続しないように、電子機器１００を構成してもよい。
【０２３９】
図２４は、アイコン４０１の表示位置を連続的にずらす処理が終了した状態を示した図である。図２４を参照して、電子機器１００は、アイコン４０１の表示位置を、アイコン４０１が選択された際に表示されていた位置から、上記指定された点に応じた位置に切換える。以上により、アイコン４０１の移動処理が完了する。
【０２４０】
ここで、「指定された点に応じた位置」とは、たとえば、アイコン４０１の中心点が、上述したスキャンデータの中心点Ｃ１（図１０参照）と一致する位置である。あるいは、「指定された点に応じた位置」とは、たとえば、アイコン４０１の中心点が、上述したスキャンデータの領域Ｐ１（図１０参照）に含まれる位置である。あるいは、「指定された点に応じた位置」とは、たとえば、アイコン４０１と上記中心点Ｃ１とが重なる位置である。あるいは、「指定された点に応じた位置」とは、たとえば、アイコン４０１の中心点が上述したスキャンデータの中心点Ｃ１から一定距離（例えば、数ドットから数十ドット）以内となる位置である。
【０２４１】
＜操作例２＞
アイコンの表示位置の切換えに関する他の操作例について説明する。以下では、第１画像がファイルを示すアイコンであり、第２画像がファイルを格納するフォルダを開いた場合に表示されるウィンドウである場合について説明する。
【０２４２】
図２５は、液晶パネル１４０の表示領域に、第１画像として、ファイルを示すアイコン４１１，４１２，４１３が表示された状態を示した図である。また、図２５は、液晶パネル１４０の表示領域に、第２画像として、ウィンドウ４４４が表示された状態を示した図である。
【０２４３】
図２５を参照して、アイコン４１１は、ウィンドウ４４１の表示領域４４１Ａに表示されている。また、アイコン４１２は、ウィンドウ４４２の表示領域４４２Ａに表示されている。また、アイコン４１３は、ウィンドウ４４３の表示領域４４３Ａに表示されている。つまり、アイコン４１１により特定されるファイルの保存先は、ウィンドウ４４１で特定されるフォルダである。同様に、アイコン４１２により特定されるファイルの保存先は、ウィンドウ４４２で特定されるフォルダである。アイコン４１３により特定されるファイルの保存先は、ウィンドウ４４３で特定されるフォルダである。
【０２４４】
ウィンドウ４４４の表示領域４４４Ａには、アイコンが表示されていない。なお、各ウィンドウ４４１，４４２，４４３，４４４は、フォルダを開いたときに表示されるウィンドウである。また、各表示領域４４１Ａ，４４２Ａ，４４３Ａ，４４４Ａは、ファイルを示すアイコンを表示するために、制御部１０により設定された領域である。
【０２４５】
図２６は、ユーザが左手の指９００Ａを液晶パネル１４０の表示領域に接触させた状態を示した図である。このように、ユーザが指９００Ａを表示領域に接触させることにより、第１検知部１２は、表示領域における点が指定されたことを検知する。また、当該位置にウィンドウ４４４があるため、第１検知部１２は、ウィンドウ４４４が選択されたと判断する。
【０２４６】
図２７は、指９００Ａを表示領域に接触させた状態で、ユーザがさらに指９００Ｂを当該表示領域に接触させた状態を示した図である。より詳しくは、図２７は、アイコン４１２が表示されている位置に指９００Ｂが接触している状態を示した図である。このように、ユーザが指９００Ｂを、アイコン４１２が表示されている位置に接触させることにより、第２検知部１３は、アイコン４１２が選択されたことを検知する。以下、表示パネル１４０と指９００Ｂとが接触した状態で、ユーザが矢印８１１で示す方向に指９００Ｂを移動させた場合について説明する。
【０２４７】
図２８は、ユーザが矢印８１１で示す方向に指９００Ｂを移動させた後の状態を示した図である。より詳しくは、図２８は、当該移動後の、アイコン４１２の移動の態様を模式的に示した図である。図２８を参照して、電子機器１００は、上記指定された点に応じた位置まで、アイコン４１２の表示位置を連続的にずらす。つまり、電子機器１００は、時間の経過とともにアイコン４１２の表示位置を変化させる。
【０２４８】
図２９は、アイコン４１２の表示位置を連続的にずらす処理が終了した状態を示した図である。図２９を参照して、電子機器１００は、アイコン４１２の表示位置を、アイコン４１２が選択された際に表示されていた位置から、上記指定された点に応じた位置に切換える。以上により、アイコン４１２の移動処理が完了する。なお、この場合、変更部１６は、アイコン４１２により特定されるファイルの保存先を、ウィンドウ４４２で特定されるフォルダから、ウィンドウ４４４で特定されるフォルダに変更する。
【０２４９】
ここで、「指定された点に応じた位置」とは、たとえば、アイコン４１２がウィンドウ４４４に重なる位置である。より詳しくは、「指定された点に応じた位置」とは、たとえば、アイコン４１２の全体が表示領域４４４Ａに重なる位置である。あるいは、「指定された点に応じた位置」とは、たとえば、アイコン４１２の一部が表示領域４４４Ａに重なる位置である。
【０２５０】
＜操作例３＞
フィルを示すアイコンの表示位置の切換えに関するさらに他の操作例について説明する。以下では、第１画像がファイルを示すアイコンであり、第２画像がアプリケーションを実行する実行ファイルのショートカットを示したアイコンである場合について説明する。
【０２５１】
図３０は、液晶パネル１４０の表示領域に、第１画像として、ファイルを示すアイコン４２１，４２２，４２３が表示された状態を示した図である。また、図３０は、液晶パネル１４０の表示領域に、第２画像として、ショートカットを示したアイコン４６１が表示された状態を示した図である。
【０２５２】
図３０を参照して、アイコン４２１は、ウィンドウ４５１の表示領域４５１Ａに表示されている。また、アイコン４２２は、ウィンドウ４５２の表示領域４５２Ａに表示されている。また、アイコン４２３は、ウィンドウ４５３の表示領域４５３Ａに表示されている。
【０２５３】
つまり、アイコン４２１により特定されるファイルの保存先は、ウィンドウ４５１で特定されるフォルダである。同様に、アイコン４２２により特定されるファイルの保存先は、ウィンドウ４５２で特定されるフォルダである。アイコン４２３により特定されるファイルの保存先は、ウィンドウ４５３で特定されるフォルダである。
【０２５４】
なお、各ウィンドウ４５１，４５２，４５３は、フォルダを開いたときに表示されるウィンドウである。また、各表示領域４５１Ａ，４５２Ａ，４５３Ａは、ファイルを示すアイコンを表示するために、制御部１０により設定された領域である。
【０２５５】
図３１は、ユーザが指９００Ａを液晶パネル１４０の表示領域に接触させた状態を示した図である。このように、ユーザが指９００Ａを表示領域に接触させることにより、第１検知部１２は、表示領域における点が指定されたことを検知する。また、当該位置にアイコン４６１があるため、第１検知部１２は、アイコン４６１が選択されたと判断する。
【０２５６】
図３２は、指９００Ａを表示領域に接触させた状態で、ユーザが指９００Ｂを当該表示領域に接触させた状態を示した図である。より詳しくは、図３２は、指９００Ｂがアイコン４２１が表示されている位置に接触している状態を示した図である。このように、ユーザが指９００Ｂを、アイコン４２１が表示されている位置に接触させることにより、第２検知部１３は、アイコン４２１が選択されたことを検知する。当該検知の後、表示パネル１４０と指９００Ｂとが接触した状態で、ユーザが矢印８２１で示す方向に指９００Ｂを移動させたとする。つまり、電子機器１００が、アイコン４２１を移動するための操作入力を受け付けたとする。
【０２５７】
図３３は、上記操作入力に基づいて、アイコン４２１の表示位置を、アイコン４２１が選択された際に表示されていた位置から、上記指定された点に応じた位置に切換えた後の状態を示した図である。また、図３３は、指９００Ｂがアイコン４２２が表示されている位置に接触している状態を示した図でもある。図３３を参照して、アイコン４２１は、上記指定された点に応じた位置として、アイコン４６１に重なる位置に表示される。当該表示が行われた後、表示パネル１４０と指９００Ｂとが接触した状態で、ユーザが矢印８２２で示す方向に指９００Ｂを移動させたとする。つまり、電子機器１００が、アイコン４２２を移動するための操作入力を受け付けたとする。
【０２５８】
図３４は、上記操作入力に基づいて、アイコン４２２の表示位置を、アイコン４２２が選択された際に表示されていた位置から、上記指定された点に応じた位置に切換えた後の状態を示した図である。また、図３４は、指９００Ｂがアイコン４２３が表示されている位置に接触している状態を示した図でもある。図３４を参照して、アイコン４２２は、上記指定された点に応じた位置として、アイコン４６１に重なる位置に表示される。また、同図は、アイコン４２２がアイコン４２１に重なった状態で表示されている例を示している。当該表示が行われた後、表示パネル１４０と指９００Ｂとが接触した状態で、ユーザが矢印８２３で示す方向に指９００Ｂを移動させたとする。つまり、電子機器１００が、アイコン４２３を移動するための操作入力を受け付けたとする。
【０２５９】
図３５は、上記操作入力に基づいて、アイコン４２３の表示位置を、アイコン４２３が選択された際に表示されていた位置から、上記指定された点に応じた位置に切換えた後の状態を示した図である。図３５を参照して、アイコン４２３は、上記指定された点に応じた位置として、アイコン４６１に重なる位置に表示される。また、同図は、アイコン４２３がアイコン４２２に重なった状態で表示されている例を示している。
【０２６０】
図３６は、図３５に示した状態において、指９００Ａを表示領域から離した場合を示した図である。この場合、解除検知部１４は、アイコン４６１の選択が解除されたことを検知する。当該選択が解除されたことが検知されると、ファイルオープン部１５は、各アイコン４２１，４２２，４２３で特定されるファイルを、アイコン４６１で特定されるアプリケーションを用いて開く。
【０２６１】
＜操作例４＞
アイコンの表示位置の切換えに関するさらに他の操作例について説明する。以下では、第１画像がファイルを示すアイコンであり、第２画像がファイルを格納するフォルダを開いた場合に示されるウィンドウである場合について説明する。
【０２６２】
図３７は、液晶パネル１４０の表示領域に、第１画像として、ファイルを示すアイコン４３１〜４３６が表示された状態を示した図である。また、図３７は、液晶パネル１４０の表示領域に、第２画像として、ウィンドウ４８１が表示された状態を示した図である。
【０２６３】
図３７を参照して、アイコン４３１〜４３６は、ウィンドウ４７１の表示領域４７１Ａに表示されている。つまり、アイコン４３１〜４３６により特定されるファイルの保存先は、ウィンドウ４７１で特定されるフォルダである。ウィンドウ４８１の表示領域４８１Ａには、アイコンが表示されていない。なお、各ウィンドウ４７１，４８１は、フォルダを開いたときに表示されるウィンドウである。また、各表示領域４７１Ａ，４８１Ａは、ファイルを示すアイコンを表示するために、制御部１０により設定された領域である。
【０２６４】
図３８は、ユーザが指９００Ａを液晶パネル１４０の表示領域に接触させた状態を示した図である。このように、ユーザが指９００Ａを表示領域に接触させることにより、第１検知部１２は、表示領域における点が指定されたことを検知する。また、当該位置にウィンドウ４８１があるため、第１検知部１２は、ウィンドウ４８１が選択されたと判断する。
【０２６５】
図３９は、指９００Ａを表示領域に接触させた状態で、ユーザが指９００Ｂを当該表示領域に接触させたのち、ユーザが指９００Ｃを当該表示領域にさらに接触させた状態を示した図である。より詳しくは、図３９は、指９００Ｂがアイコン４３２が表示されている位置に接触しており、かつ指９００Ｃがアイコン４３４が表示されている位置に接触している状態を示した図である。
【０２６６】
このように、ユーザが指９００Ｂおよび指９００Ｃを、それぞれアイコン４３２およびアイコン４３４が表示されている位置に接触させることにより、第２検知部１３は、図３９の点線で示した領域４７２に存在するアイコン４３２，４３３，４３４が選択されたことを検知する。
【０２６７】
図４０は、表示パネル１４０と指９００Ｂ，９００Ｃとが接触した状態で、指９００Ｂ，９００Ｃの移動方向を説明するための図である。図４０を参照して、ユーザは、指９００Ｂ，９００Ｃを、矢印８３１の方向（つまりウィンドウ４８１に向かう方向）に移動させる。
【０２６８】
図４１は、ユーザが矢印８３１で示す方向に指９００Ｂ，９００Ｃを移動させた後の状態を示した図である。より詳しくは、図４１は、当該移動後の、アイコン４１２の移動の途中の状態を示した図である。電子機器１００は、上記指定された点に応じた位置まで、アイコン４３２〜４３４の表示位置を矢印８３２に示す方向に連続的にずらす。つまり、電子機器１００は、時間の経過とともにアイコン４３２〜４３４の表示位置を変化させる。
【０２６９】
図４２は、アイコン４３２〜４３４の表示位置を連続的にずらす処理が終了した状態を示した図である。図４２を参照して、電子機器１００は、アイコン４３２〜４３４の表示位置を、アイコン４３２〜４３４が選択された際に表示されていた位置から、上記指定された点に応じた位置に切換える。以上により、アイコン４３２〜４３４の移動処理が完了する。なお、この場合、変更部１６は、アイコン４３２〜４３４により特定されるファイルの保存先を、ウィンドウ４７１で特定されるフォルダから、ウィンドウ４８１で特定されるフォルダに変更する。
【０２７０】
ここで、「指定された点に応じた位置」とは、たとえば、各アイコン４３２〜４３４がウィンドウ４８１に重なる位置である。より詳しくは、「指定された点に応じた位置」とは、たとえば、各アイコン４３２〜４３４の全体が表示領域４８１Ａに重なる位置である。
【０２７１】
＜処理フロー＞
図４３は、電子機器１００における処理のフローを示したフローチャートである。図４３を参照して、ステップＳ２において、電子機器１００は、液晶パネル１４０の表示領域における点が指定されたか否かを判断する。点が指定されたと電子機器１００が判断した場合（ステップＳ２においてＹＥＳ）、ステップＳ４において、電子機器１００は、第１画像が選択されたか否かを判断する。一方、点が指定されていないと電子機器１００が判断した場合（ステップＳ２においてＮＯ）、ＣＰＵ１１０は、処理をステップＳ２の処理に戻す。
【０２７２】
第１画像が選択されたと電子機器１００が判断した場合（ステップＳ４においてＹＥＳ）、ステップＳ６において、電子機器１００は、ユーザの指の移動に基づく操作入力を受け付けたか否かを、第２検知部１３による当該操作入力の検知に基づいて判断する。一方、第１画像が選択されていないと電子機器１００が判断した場合（ステップＳ４においてＮＯ）、ＣＰＵ１１０は、処理をステップＳ４の処理に戻す。
【０２７３】
操作入力を受け付けたと電子機器１００が判断した場合（ステップＳ６においてＹＥＳ）、ステップＳ１４において、電子機器１００は、第１画像の表示位置を、上記選択された際に表示されていた位置から、指定された点に応じた位置に切換える。ステップＳ１４の処理を実行すると、ＣＰＵ１１０は、一連の処理を終了する。操作入力を受け付けていないと判断された場合（ステップＳ６においてＮＯ）、ステップＳ８において、電子機器１００は、他の第１画像が選択されたか否かを判断する。
【０２７４】
他の第１画像が選択されたと電子機器１００が判断した場合（ステップＳ８においてＹＥＳ）、ステップＳ１０において、電子機器１００は、ユーザの指の移動に基づく操作入力を受け付けたか否かを判断する。一方、他の第１画像が選択されていないと電子機器１００が判断した場合（ステップＳ８においてＮＯ）、ステップＳ１６において、ＣＰＵ１１０は、表示位置を切換える処理を終了する指示を受け付けたか否かを判断する。処理終了指示を受け付けたとＣＰＵ１１０が判断した場合（ステップＳ１６においてＹＥＳ）、ＣＰＵ１１０は、一連の処理を終了する。一方、処理終了指示を受け付けていないとＣＰＵ１１０が判断した場合（ステップＳ１６においてＮＯ）、ＣＰＵ１１０は、処理をステップＳ６の処理に戻す。
【０２７５】
操作入力を受け付けたと電子機器１００が判断した場合（ステップＳ１０においてＹＥＳ）、ステップＳ１２において、電子機器１００は、第１画像の表示位置と、他の第１画像の表示位置と、当該２つの第１画像に挟まれている画像の表示位置とを、上記選択された際に表示されていた位置から、指定された点に応じた位置に切換える。ステップＳ１２の処理を実行すると、ＣＰＵ１１０は、一連の処理を終了する。一方、操作入力を受け付けていないと電子機器１００が判断した場合（ステップＳ１０においてＮＯ）、ステップＳ１８において、ＣＰＵ１１０は、表示位置を切換える処理を終了する指示を受け付けたか否かを判断する。
【０２７６】
処理終了指示を受け付けたとＣＰＵ１１０が判断した場合（ステップＳ１８においてＹＥＳ）、ＣＰＵ１１０は、一連の処理を終了する。一方、処理終了指示を受け付けていないとＣＰＵ１１０が判断した場合（ステップＳ１８においてＮＯ）、ＣＰＵ１１０は、処理をステップＳ１０の処理に戻す。
【０２７７】
＜実施の形態１のまとめ＞
（１）第１検知部１２は、表示領域における点が指定されたことを検知する。第２検知部１３は、表示領域に表示されている第１画像が選択されたことを検知する。表示制御部１１は、選択された第１画像を移動するための操作入力に基づいて、当該第１画像の表示位置を、上記選択された際に表示されていた位置から、上記指定された点に応じた位置に切換える。
【０２７８】
したがって、電子機器１００は、第１画像の表示位置を、上記選択された際に表示されていた位置から、ユーザによって指定された点に応じた位置に切換える。それゆえ、電子機器１００は、ユーザが所望する位置まで、移動対象である画像を正確に移動することができる。
【０２７９】
（２）指定された点に第２画像が表示されている場合、第１検知部１２は、当該点が指定されたことを検知すると、第２画像が選択されたと判断する。表示制御部１１は、操作入力に基づいて、指定された点に応じた位置として第２画像に重なる位置に、第１画像を表示させる。
【０２８０】
したがって、指定された点に第２画像が表示されている場合、電子機器１００は、操作入力に基づき、第２画像に重なる位置に第１画像を表示することができる。
【０２８１】
（３）第１画像は、たとえば、ファイルを示すアイコンである。第２画像は、たとえば、ファイルを格納するフォルダを開いた場合に示されるウィンドウである。この場合、表示制御部１１は、操作入力に基づいて、ウィンドウ内の領域に第１画像を表示させる。変更部１６は、第１画像により特定されるファイルの保存先をフォルダに変更する。
【０２８２】
したがって、第１画像および第２画像の検知と、操作入力とに基づき、電子機器１００は、第１画像の表示位置の切換えと、第１画像により特定されるファイルの保存先の変更とを行なう。それゆえ、電子機器１００は、いわゆるドラッグ（移動）＆ドロップ（離す）とは異なる態様で、ファイルを示すアイコンの表示位置の切換えおよび当該ファイルの保存先の変更を行なうことが可能となる。
【０２８３】
（４）第１画像は、たとえば、アプリケーションで開くことが可能なファイルを示したアイコンである。第２画像は、たとえば、アプリケーションを実行する実行ファイルのショートカットを示したアイコンである。解除検知部１４は、第２画像の選択が解除されたことを検知する。第２画像に重なる位置に第１画像が表示された場合、選択が解除されたことが検知されると、ファイルオープン部１５は、上記アプリケーションによって上記ファイルを開く。
【０２８４】
したがって、第１画像が移動された後、第２画像の選択が解除されたことが検知されたことをトリガーとして、電子機器１００は、第２画像で特定されるアプリケーションによって第１画像で特定されるファイルを開くことができる。
【０２８５】
また、第２画像に重なる位置に第１画像が表示された後であっても、第２画像の選択の解除が検知されない限り、電子機器は、アプリケーションによって第１画像で特定されるファイルを開かない。それゆえ、ユーザは、ファイルを開く前のタッチパネルの表示領域の状態を、ユーザが所望する間、確認することができる。
【０２８６】
（５）表示制御部１１は、第１画像として、ファイルを示したアイコンを複数表示させる。第２画像に重なる位置に上記複数のアイコンの各々が表示されている場合に、選択が解除されたことが検知されると、ファイルオープン部１５は、アプリケーションによって、各アイコンで特定される各ファイルを開く。
【０２８７】
したがって、複数の第１画像が移動された後、第２画像の選択が解除されたことが検知されたことをトリガーとして、電子機器１００は、第２画像で特定されるアプリケーションによって第１画像で特定されるファイルを複数開くことができる。
【０２８８】
このように、電子機器１００は、複数のアイコンを連続して第２画像に重なる位置に移動した後、当該各アイコンに対応する各ファイルを一度に開くことが可能となる。
【０２８９】
（６）表示制御部１１は、第１画像として、複数の画像を表示させる。第２検知部１３は、上記複数の画像のうち、２つの画像が選択されたことを検知する。表示制御部１１は、第１画像を移動するための操作入力に基づいて、上記２つの画像と、上記複数の画像のうち当該２つの画像に挟まれている画像とを、第２画像に重なる位置に表示させる。
【０２９０】
したがって、電子機器１００は、上記操作入力に基づき、３つ以上の第１画像を第２画像に重なる位置に同時に移動させることができる。
【０２９１】
（７）表示制御部１１は、上記切換えの際に、第２画像に重なる位置まで第１画像の表示位置を連続的にずらす。したがって、ユーザは、第１画像が移動していることを視覚により認識できる。
【０２９２】
＜補足＞
（１）第１画像がファイルを示すアイコンであって、第２画像がファイルを格納するフォルダを開いた場合に示されるウィンドウである場合においても、解除検知部１４が機能する構成としてもよい。
【０２９３】
このような構成の場合、解除検知部１４によって第２画像の選択が解除されたことが検知されると、変更部１６は、第１画像により特定されるファイルの保存先をフォルダに変更する。
【０２９４】
したがって、第１画像および第２画像の検知と、操作入力と、第２画像の選択の解除の検知とに基づき、電子機器１００は、第１画像の表示位置の切換えと、第１画像により特定されるファイルの保存先の変更とを行なう。それゆえ、電子機器１００は、いわゆるドラッグ（移動）＆ドロップ（離す）とは異なる態様で、ファイルを示すアイコンの表示位置の切換えおよび当該ファイルの保存先の変更を行なうことが可能となる。
【０２９５】
また、ウィンドウ内の領域に第１画像が表示された後であっても、第２画像の選択の解除が検知されない限り、電子機器１００はファイルの保存先を変更しない。それゆえ、ユーザは、ファイルの保存先が変更される前のタッチパネルの表示領域の状態を、ユーザが所望する間、確認することができる。
【０２９６】
さらに、当該構成の場合、たとえば上記の操作例２において、電子機器１００の動作を以下のように設定できる。電子機器１００が、アイコン４１２の移動が完了する前に指９００Ｂが表示領域から一旦離れたことを検知し、さらに当該移動が完了する前に他のアイコン（たとえばアイコン４１１またはアイコン４１３）を移動させる操作を受付けた場合、電子機器１００がファイルの保存先を変更するように、電子機器１００の動作を設定できる。この場合、電子機器１００は、複数のアイコンを連続して同じフォルダへと移動できる。
【０２９７】
（２）上記においては、第２画像に重なる位置に第１画像が表示された場合、解除検知部１４によって選択が解除されたことが検知されると、ファイルオープン部１５は、上記アプリケーションによって上記ファイルを開いた。しかしながら、解除検知部１４の上記検知動作に関わらず、ファイルオープン部１５は、上記アプリケーションによって上記ファイルを開いてもよい。この構成の場合、第１画像が移動された後、上記選択の解除の検知に関係なく、電子機器１００は、第２画像で特定されるアプリケーションによって第１画像で特定されるファイルを開くことができる。
【０２９８】
（３）上記においては、液晶パネル１４０において第１画像の表示位置を切換える構成を例に挙げて説明したが、液晶パネル２４０において第１画像の表示位置を切換える構成であってもよい。この場合、第１検知部１２は、液晶パネル２４０の表示領域における点が指定されたことを検知する。第２検知部１３は、液晶パネル２４０の表示領域に表示されている第１画像が選択されたことを検知する。表示制御部１１は、選択された第１画像を移動するための操作入力に基づいて、当該第１画像の表示位置を、上記選択された際に表示されていた位置から、上記指定された点に応じた位置に切換える。このように、本実施の形態に示した表示位置の切換えを実行するためには、電子機器１００が少なくとも１つの液晶パネルを備えていればよい。
【０２９９】
（４）また、液晶パネル２４０において第１画像の表示位置を切換える構成の一例として、電子機器１３００（図１８参照）を、電子機器１００と同様の機能を有する構成としてもよい。
【０３００】
（５）また、上記においては、電子機器１００が、表示装置として光センサを内蔵した液晶パネル１４０，２４０を備える例を挙げて説明した。しかしながら、表示装置は、光センサを内蔵した液晶パネルに限定されず、多点入力が可能なタッチパネルであればよい。
【０３０１】
［実施の形態２］
次に、上述の構成（図１〜図１７）を用いる電子機器１１００の具体的な実現例について説明する。なお、以下では、電子機器１００と同じ部材については、同じ符号を付し、その説明を繰り返さない。
【０３０２】
＜電子機器１１００の機能ブロック＞
図４４は、電子機器１１００の機能ブロックを示した図である。図４４を参照して、電子機器１１００は、制御部１０Ａと、記憶装置９０と、液晶パネル１４０，２４０とを備える。制御部１０Ａは、表示制御部１１と、第１検知部１２Ａと、第２検知部１３Ａと、解除検知部１４Ａと、ファイルオープン部１５と、変更部１６とを含む。
【０３０３】
電子機器１１００は、電子機器１００の第１検知部１２が液晶パネル１４０の表示領域において位置の指定を受け付けるのに対し、第１検知部１２Ａが液晶パネル１４０の表示領域および液晶パネル２４０の表示領域において位置の指定を受け付ける点で、電子機器１００とは異なる。また、電子機器１１００は、電子機器１００の第２検知部１３が液晶パネル１４０の表示領域において第１画像の選択を検知するのに対し、第２検知部１３Ａが液晶パネル１４０の表示領域および液晶パネル２４０の表示領域において第１画像の選択を検知する点で、電子機器１００とは異なる。さらに、電子機器１１００は、電子機器１００の解除検知部１４が液晶パネル１４０の表示領域において第２画像の選択解除を検知するのに対し、解除検知部１４Ａが液晶パネル１４０の表示領域および液晶パネル２４０の表示領域において第２画像の選択解除を検知する点で、電子機器１００とは異なる。
【０３０４】
電子機器１１００は、上記の構成を備えるため、第１検知部１２Ａは、一方の液晶パネルの表示領域における点が指定されたことを検知する。また、第２検知部１３Ａは、他方の液晶パネルの表示領域に表示されている第１画像が選択されたことを検知できる。
【０３０５】
表示制御部１１は、実施の形態１において述べたとおり、選択された第１画像を移動するための操作入力に基づいて、当該第１画像の表示位置を、選択された際に表示されていた位置から、指定された点に応じた位置に切換える。
【０３０６】
たとえば、第１検知部１２Ａが液晶パネル２４０の表示領域において点が指定されたことを検知し、かつ第２検知部１３Ａが液晶パネル１４０の表示領域に表示されている第１画像の選択を検知した場合、表示制御部１１は、液晶パネル１４０の表示領域に表示されていた第１画像を、上記操作入力に従い、液晶パネル２４０の表示領域に表示させる。また、第１検知部１２Ａが液晶パネル１４０の表示領域において点が指定されたことを検知し、かつ第２検知部１３Ａが液晶パネル２４０の表示領域に表示されている第１画像の選択を検知した場合、表示制御部１１は、液晶パネル２４０の表示領域に表示されていた第１画像を、上記操作入力に従い、液晶パネル１４０の表示領域に表示させる。
【０３０７】
＜操作例＞
アイコンの表示位置の切換えに関する操作例について説明する。以下では、第１画像がファイルを示すアイコンであり、上記指定された点が第２画像と重なる点ではない場合について説明する。
【０３０８】
図４５は、液晶パネル２４０の表示領域に、第１画像として、ファイルを示すアイコン４３１が表示された状態を示した図である。図４５を参照して、アイコン４３１は、液晶パネル２４０の表示領域の中央付近に表示されている。
【０３０９】
図４６は、ユーザが指９００Ａを液晶パネル１４０の表示領域に接触させた状態を示した図である。このように、ユーザが指９００Ａを表示領域に接触させることにより、第１検知部１２Ａは、表示領域における点が指定されたことを検知する。
【０３１０】
図４７は、指９００Ａを液晶パネル１４０の表示領域に接触させた状態で、ユーザが指９００Ｂ液晶パネル２４０の表示領域に接触させた状態を示した図である。より詳しくは、図４７は、指９００Ｂがアイコン４３１が表示されている位置に接触している状態を示した図である。このように、ユーザが指９００Ｂを、アイコン４３１が表示されている位置に接触させることにより、第２検知部１３Ａは、アイコン４３１が選択されたことを検知する。以下、表示パネル２４０と指９００Ｂとが接触した状態で、ユーザが矢印８４１で示す方向に指９００Ｂを移動させた場合について説明する。
【０３１１】
図４８は、ユーザが矢印８４１で示す方向に指９００Ｂを移動させた後の状態を示した図である。より詳しくは、図４８は、指９００Ｂの移動後の、アイコン４３１の移動の態様を模式的に示した図である。図４８を参照して、電子機器１１００は、上記指定された点に応じた位置まで、アイコン４３１の表示位置を連続的にずらす。つまり、電子機器１１００は、時間の経過とともにアイコン４３１の表示位置を変化させる。
【０３１２】
図４９は、アイコン４３１の表示位置を連続的にずらす処理が終了した状態を示した図である。図４９を参照して、電子機器１１００は、アイコン４３１の表示位置を、アイコン４３１が選択された際に表示されていた位置から、上記指定された点に応じた位置に切換える。以上により、アイコン４３１の移動処理が完了する。
【０３１３】
＜まとめ＞
第１検知部１２Ａは、一方の液晶パネルの表示領域における点が指定されたことを検知する。第２検知部１３Ａは、他方の液晶パネルの表示領域に表示されている第１画像が選択されたことを検知する。表示制御部１１は、選択された第１画像を移動するための操作入力に基づいて、当該第１画像の表示位置を、上記選択された際に表示されていた位置から、上記指定された点に応じた位置に切換える。
【０３１４】
したがって、電子機器１１００は、第１画像の表示位置を、上記選択された際に表示されていた位置から、ユーザによって指定された点に応じた位置に切換える。また、ユーザによって指定された点は上記一方の液晶パネルにおける点であり、上記選択された際に表示されていた位置は上記他方の液晶パネルの位置である。それゆえ、電子機器１１００は、上記一方の液晶パネルの表示領域におけるユーザが所望する位置まで、移動対象である画像を正確に移動することができる。
【０３１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０３１６】
１０  制御部、１０Ａ  制御部、１１  表示制御部、１２  第１検知部、１２Ａ  第１検知部、１３  第２検知部、１３Ａ  第２検知部、１４  解除検知部、１４Ａ  解除検知部、１５  ファイルオープン部、１６  変更部、９０  記憶装置、１００  電子機器、１１００  電子機器。
【図１】
2010182088.tif 000003
【図２】
2010182088.tif 000004
【図３】
2010182088.tif 000005
【図４】
2010182088.tif 000006
【図５】
2010182088.tif 000007
【図６】
2010182088.tif 000008
【図７】
2010182088.tif 000009
【図８】
2010182088.tif 000010
【図９】
2010182088.tif 000011
【図１０】
2010182088.tif 000012
【図１１】
2010182088.tif 000013
【図１２】
2010182088.tif 000014
【図１３】
2010182088.tif 000015
【図１４】
2010182088.tif 000016
【図１５】
2010182088.tif 000017
【図１６】
2010182088.tif 000018
【図１７】
2010182088.tif 000019
【図１８】
2010182088.tif 000020
【図１９】
2010182088.tif 000021
【図２０】
2010182088.tif 000022
【図２１】
2010182088.tif 000023
【図２２】
2010182088.tif 000024
【図２３】
2010182088.tif 000025
【図２４】
2010182088.tif 000026
【図２５】
2010182088.tif 000027
【図２６】
2010182088.tif 000028
【図２７】
2010182088.tif 000029
【図２８】
2010182088.tif 000030
【図２９】
2010182088.tif 000031
【図３０】
2010182088.tif 000032
【図３１】
2010182088.tif 000033
【図３２】
2010182088.tif 000034
【図３３】
2010182088.tif 000035
【図３４】
2010182088.tif 000036
【図３５】
2010182088.tif 000037
【図３６】
2010182088.tif 000038
【図３７】
2010182088.tif 000039
【図３８】
2010182088.tif 000040
【図３９】
2010182088.tif 000041
【図４０】
2010182088.tif 000042
【図４１】
2010182088.tif 000043
【図４２】
2010182088.tif 000044
【図４３】
2010182088.tif 000045
【図４４】
2010182088.tif 000046
【図４５】
2010182088.tif 000047
【図４６】
2010182088.tif 000048
【図４７】
2010182088.tif 000049
【図４８】
2010182088.tif 000050
【図４９】
2010182088.tif 000051